(57)【要約】
【課題】  ハンカチやアクセサリーの小物を贈る際に、当該小物を安定して保持することができ、かつ、贈り物を貰った相手に対して華やかな印象を与え、嬉しさや楽しさなどの感覚を喚起させ、さらには、燃焼系ゴミを抑えることができるような小物包装体を提供する。
【解決手段】  保持部材を台状に成型して小物保持体とし、前記小物保持体の上面部おいて、内方へ切削することにより小物収納部を形成するとともに、前記小物保持体の外周面に装飾体を備える。
【選択図】図１
0003101298.tif 000002
【実用新案登録請求の範囲】
【請求項１】
保持部材を台状に成型して小物保持体とし、前記小物保持体の上面部において、内方へ切削することにより小物収納部を形成するとともに、前記小物保持体の外周面に装飾体を備えたことを特徴とする小物包装体。
【考案の詳細な説明】
【技術分野】
【０００１】  本考案は、小物用包装体に関し、さらに詳しくは、小物を安定して保持するとともに、見た目に華やかで楽しい印象を与える包装体に関する。
【背景技術】
【０００２】  従来、小物を包装するための包装体は包装用箱など種々のものが提供されている。【０００３】  このような包装体は、その構成部材として紙を利用して形成されているものが一般的である。また、小物を包装する際には薄手の包装紙を用いて行うことが一般的である。
【考案の開示】
【考案が解決しようとする課題】
【０００４】  従来、ハンカチやアクセサリーなどの小物を包装する包装用箱などの包装体は、上述の如く、紙を素材として製造されているものが一般的である。ここで、ハンカチやアクセサリーなどの小物を贈り物として包装する場合に、前記のような紙を素材として製造された包装体を利用すると、前記包装体は衝撃に弱いため、たとえば不慮の落下や圧迫などの事態が生じた際には、包装体が損壊するおそれがあるとともに、前記包装体により包装されたハンカチやアクセサリーなどの小物にも損傷を与える可能性があるという問題が生じていた。【０００５】  さらに、アクセサリーなどの小物は、その大きさや形状が一定ではない。従って、前記包装体により包装した場合に、前記包装体と包装体内の小物との間に生じる空間により、包装された小物が安定して保持されず、運搬の際に小物が包装体と接触して小物に損傷を与える可能性があるという問題も生じていた。【０００６】  さらに、前記包装用箱や従来の包装に用いられていた包装紙は、その表面に絵や図などのデザインを施すことにより、見た目に華やかさを与え、贈り物を貰った人に対して喜びなどの感覚を喚起させるものが一般的であった。しかし、このようなデザインは平面的なものであるため、貰い手の視覚に訴えて嬉しさや楽しさなどの感覚を喚起させるには限界があるという問題も生じていた。【０００７】  さらに、上述のような従来の包装体や包装紙は、贈り物を貰った後は、通常はそのまま捨てられてしまうことがほとんどであり、燃焼系ゴミが増加するという問題も生じていた。【０００８】  そこで、本考案は、上記した従来の技術の有する問題点に鑑みてなされたものであり、その目的とするところは、ハンカチやアクセサリーの小物を贈る際に、当該小物を安定して保持することができ、かつ、贈り物を貰った相手に対して華やかな印象を与え、嬉しさや楽しさなどの感覚を喚起させることができ、さらには、燃焼系ゴミを抑えることができるような小物包装体を提供することを目的とする。
【課題を解決するための手段】
【０００９】  本考案に係る小物包装体１０は、保持部材を台状に成型して小物保持体１２とし、前記小物保持体１２の上面部１４において、内方へ切削することにより小物収納部１３を形成するとともに、前記小物保持体１２の外周面に装飾体１１を備えたことを特徴とする。【００１０】  ここでいう「保持部材」は特に限定されたものではないが、振動に強く衝撃を吸収できるような発泡スチロールなどの材料が望ましい。【００１１】  「台状」とは角錐台や円錐台のような上面部から下面部に向かって、その断面が大きくなっているような形状のものだけでなく、角柱や円柱のような、その断面の大きさが変わらないような形状のものも含む趣旨である。【００１２】  「小物収納部１３」とは、前記保持部材により形成された小物保持体１２の上面部において、前記保持部材を切削して小物を収納できるようにした部分である。前記小物収納部１３の形状としては、前記小物保持体１２の上面部１４を内方に切削し、前記保持部材をくり抜いて形成した孔のようなものが挙げられる。前記孔の形状は特に限定されたものでなく、多角形や円形であってもよい。また、前記小物収納部１３の形状は、前記小物保持体１２の上面部１４を一方の側端から他方の側端まで内方に切削して形成した溝のようなものであってもよい。ハンカチやアクセサリーなどの小物は、このように形成された前記小物収納部１３に挟むなどすることにより保持されることとなる。【００１３】  「装飾体１１」とは、前記小物保持体１２を飾り付ける部材であれば、特に限定されるものではない。たとえば、セロファンやチュールなどの部材を丸めることによって花のように形成したもの、造花、宝石などが挙げられる。また、前記小物保持体１２の外表面に備えられる前記装飾体１１は単数でも複数でもよいが、華やかな印象を与えるなどの効果を奏するためには、複数のものを外表面に備えるのが望ましい。また、前記装飾体１１を前記小物保持体１２に固定する方法は、特に限定されるものではないが、たとえば接着剤などにより前記小物保持体１２に接着して固定することもでき、また前記装飾体１１を前記小物保持体１２に固定させたい部分に針金などの部材を装着した装着部１６を形成し、この装着部１６を前記小物保持体１２に刺入することにより、前記装飾体１１を前記小物保持体１２に固定することもできる。【００１４】  このようにして、前記小物保持体１２に前記装飾体１１を備えることにより、贈り物の貰い手に華やかな印象を与えることができ、嬉しさや楽しさの感覚を喚起することができる。さらに、このようにして形成された前記小物包装体１０は、小物を贈る際の包装体として用いられた後にもインテリアとして楽しむこともでき、インテリアとして用いられることによって、燃焼系ゴミを抑えることもできることとなる。
【考案の効果】
【００１５】  本考案は、以下に記載されるような効果を奏する。【００１６】  すなわち、本考案では、ハンカチやアクセサリーの小物を贈る際に、当該小物を安定して保持することができ、かつ、贈り物を貰った相手に対して華やかな印象を与え、嬉しさや楽しさなどの感覚を喚起させることができ、さらには、燃焼系ゴミを抑えることができるような小物包装体を提供することができる。
【考案を実施するための最良の形態】
【００１７】  以下、図面を参照しつつ、本考案の実施の形態を説明する。【００１８】  図１は、本考案の実施の形態に係る小物包装体１０の外観図、図２は、本考案の実施の形態に係る小物保持体１２の外観図（Ａ）及び断面図（Ｂ）、図３は、本考案の実施の形態に係る装飾体１１の１個の外観図、図４は、本考案の実施の形態に係る装飾体１１の１個を小物包装体１２に固定した状態を示す外観図である。【００１９】  （小物包装体１０）
図１に示すように、本実施の形態に係る小物包装体１０には、複数の装飾体１１を備えている。また、図１には示していないが、前記小物包装体１０は図２（Ａ）に示すような、発泡スチロールをカッターナイフなどにより台状に切削加工して形成した小物保持体１２を備えている。前記装飾体１１は、前記小物保持体１２の外周面に固定されている。【００２０】  （装飾体１１）
前記装飾体１１は、前記小物保持体１２を飾り付けるための部材である。【００２１】  この装飾体１１は、セロファンやチュールなどで形成した花や幾何学的立体模様、造花などの装飾部１５を備えている。また、この装飾体１１には、前記装飾部１５において、前記小物保持体１２と固定させたい部分に針金などの部材を設けた装着部１６を備える。【００２２】  本実施の形態においては、前記装飾部１５における造花の花部分が前記小物保持体１２の外周面を覆うように見せるため、造花のガク部分を前記小物保持体１２の表面に固定する必要がある。従って、このガク部分に針金で形成した装着部１６を備える。【００２３】  前記装飾体１１は、前記装着部１６を前記小物保持体１２に刺入することにより前記小物保持体１２と固定する（図４参照）。【００２４】  （小物保持体１２）
前記小物保持体１２は、アクセサリーなどの小物を安定して保持するためのものである。【００２５】  この小物保持体１２には、この小物保持体１２の上面部１４の中央部分を、一方の側端から他方の側端に向けて内方へ、カッターナイフなどにより切削して形成した溝形状の小物収納部１３を備える（図２（Ａ）及び（Ｂ）参照）。
【図面の簡単な説明】
【００２６】
【図１】本考案の実施の形態に係る小物包装体の外観図である。
【図２】本考案の実施の形態に係る小物保持体の外観図（Ａ）及び断面図（Ｂ）である。
【図３】本考案の実施の形態に係る装飾体１個の外観図である。
【図４】本考案の実施の形態に係る装飾体１個を前記小物保持体に固定した状態を示す外観図である。
【符号の説明】
【００２７】１０    小物包装体
１１    装飾体                １２    小物保持体
１３    小物収納部            １４    上面部
１５    装飾部                １６    装着部
【図１】
0003101298.tif 000003
【図２】
0003101298.tif 000004
【図３】
0003101298.tif 000005
【図４】
0003101298.tif 000006